(57)【要約】【課題】  炊飯器の本体に収納される内釜の上端部のフランジの全周を断熱部材で覆うことにより、内釜上端部からの放熱を防ぎ、蓄熱効果を高める、省エネを図る。【解決手段】  炊飯器の本体１に着脱自在に収納される内釜２において、内釜２の上端部のフランジ２ａに、該フランジ２ａの半円より幾分長さの短い一対の半円形状の断熱部材３を差し込み、断熱部材３間のフランジ２ａに断熱部材３の一部をなす一対の取手４を差し込み、断熱部材３を保持するとともに、断熱部材３と本体１の上枠６のどちらか一方に凸部６ａ、他方に凹部４ｂを設けて内釜２の回り止めとした。【選択図】  図１
2005110730.tif 000002
【特許請求の範囲】
【請求項１】
炊飯器の本体（１）に着脱自在に収納される内釜（２）において、内釜（２）の上端部のフランジ（２ａ）の全周を断熱部材（３）で覆ったことを特徴とする炊飯器用内釜。
【請求項２】
断熱部材（３）の一部は、一対の取手（４）によって構成されていることを特徴とする請求項１記載の炊飯器用内釜。
【請求項３】
フランジ（２ａ）に、該フランジ（２ａ）の半円より幾分長さの短い一対の半円形状の断熱部材（３）を差し込み、断熱部材（３）間のフランジ（２ａ）に断熱部材（３）の一部をなす一対の取手（４）を差し込み、断熱部材（３）を保持することを特徴とする請求項１および２記載の炊飯器用内釜。
【請求項４】
断熱部材（３）と本体（１）の上枠（６）のどちらか一方に凸部（６ａ）、他方に凹部（４ｂ）を設け、内釜（２）の回り止めとしたことを特徴とする請求項１記載の炊飯器用内釜。
【発明の詳細な説明】
【技術分野】
【０００１】
本発明は、一般家庭及び業務用に使用される炊飯・保温兼用の炊飯器に用いられる内釜に関するものである。
【背景技術】
【０００２】
従来のこの種の炊飯器においては、米と水の入った内釜を加熱する熱源として火力が強く、美味しいご飯が炊ける電磁誘導加熱が主流となっている。
【０００３】
そして、その内釜としては、電磁誘導加熱に有効な磁性体よりなるステンレス鋼とその熱をすばやく全体に伝えるのに適したアルミニウム鋼を貼り付けたクラッド材を使用し、それをプレス成形により深鍋形状に絞り込み、上端部をなめらかなＲ形状に曲げてフランジを形成している。
【０００４】
また、図６に示すように、内釜２の上端部をＲ形状に曲げてフランジ２ａを形成した後、そのフランジ２ａの左右対象位置に一対の断熱空間を有する取手４を設けたものも公知である。（特許文献１）
【０００５】
【特許文献１】特開２００１−２９２８９３号公報
【発明の開示】
【発明が解決しようとする課題】
【０００６】
上記のような従来例によると、内釜２のフランジ２ａの全周が金属のクラッド材のままであるため、保温中にそのフランジ２ａの全周から放熱しやすく、このため、内釜２の温度と内釜２内部の保温中のご飯の温度差により内釜２の側面部に水滴が付着しやすくなるといった問題があった。
【０００７】
また、図６に示すように、内釜２のフランジ２ａの左右位置に一対の断熱空間を設けた取手４を取り付けたものでは、取手４がフランジ２ａの一部分だけであるため、この取手４の取り付け部以外の箇所は上記と同様金属のクラッド材の部分から放熱してしまい、やはり内釜２の側面部に水滴が付着しやすくなるという問題があった。
【０００８】
また、この内釜２の側面部の露付き防止として、内釜２の側面部に位置する個所にヒーター等を装着して、ヒーターに通電することにより水滴が付着するのを防ぐ方法もあるが、ヒーターに頻繁に通電しなければならず、電気を多く消費するという問題があった。
【課題を解決するための手段】
【０００９】
かかる従来の問題を解決するため本発明の請求項１では、炊飯器の本体に着脱自在に収納される内釜において、内釜の上端部のフランジの全周を断熱部材で覆ったものである。
【００１０】
また、請求項２では、断熱部材の一部を一対の取手によって構成したものである。
【００１１】
また、請求項３では、フランジに、該フランジの半円より幾分長さの短い一対の半円形状の断熱部材を差し込み、断熱部材間のフランジに断熱部材の一部をなす一対の取手を差し込み、断熱部材を保持するものである。
【００１２】
さらに、請求項４では、断熱部材と本体の上枠のどちらか一方に凸部、他方に凹部を設け、内釜の回り止めとしたものである。
【発明の効果】
【００１３】
本発明によれば、内釜の上端部のフランジの全周を断熱部材で覆っているので、内釜上端部からの放熱を軽減することができ、それによって、蓄熱効果が向上し、内釜側面部の露付きを軽減することができる。
【００１４】
また、断熱部材の一部を取手形状にすることにより、ご飯の保温中でも熱い思いをすることなく内釜を容易に取り出すことができる。
【００１５】
さらに、断熱部材と本体上枠のどちらか一方に凸部、他方に凹部を設けることにより、内釜の回転を防止することができ、利便性が向上するものである。
【発明を実施するための最良の形態】
【００１６】
以下、本発明の一実施例について図面を用いて詳細に説明する。
【００１７】
実施例の構成は図１から図５に示す通りである。図１は本発明の炊飯器用内釜の取手取り付け構造の組立前の斜視図。図２は同取り付け完成状態の斜視図。図３は同取手部の断面図、図４は同内釜を下側から見た斜視図、図５は図４のＡ部の拡大図である。
【００１８】
最初に、内釜２は、プレス成形により深鍋形状に絞り込み、その上端部をなめらかなＲ形状に曲げてフランジ２ａを形成している。
【００１９】
フランジ２ａには、図の上下位置から該フランジ２ａの半円より幾分長さの短い一対の半円形状の断熱部材３を矢印（イ）のように差し込み、次に図の左右位置から断熱部材３間のフランジ２ａに断熱部材３の一部をなす一対の取手４を矢印（ロ）のように差し込み、両側から断熱部材３を保持する。これによって、フランジ２ａの全周は取手４を含む断熱部材３によって覆われる構造となっている。
【００２０】
断熱部材３および取手４は、ＡＢＳ樹脂等の熱不良導体樹脂よりなり、フランジ２ａに差し込みやすいように外向きに略Ｕ状に膨らませて成形されている。
【００２１】
取手４の下面両端部と該取手４の下面両端側に位置するフランジ２ａおよび断熱部材３の両端部には、該取手４と断熱部材３をフランジ２ａに嵌合させた時に同一位置にくるように穴４ａ、２ｂおよび３ａを設けてあり、取手４の下面から穴４ａ、２ｂおよび３ａにネジ５をねじ込んで断熱部材３と取手４をフランジ２ａに固定する。
【００２２】
ここで内釜２は、図３に示すように本体１内に収納されてフランジ２ａがその上枠６に載せられているだけであり、ご飯を装う時は内釜２が回転しやすい構造になっている。
【００２３】
そこで、図３、図４および図５に示すように、取手４の下面に凹部４ｂを設け、この凹部４ｂと相対する本体１の上枠６に凸部６ａを設けることにより、内釜２の回転を防止するとともに、内釜２の本体１に対する位置決めを行ない、利便性を向上させる。
【００２４】
他の実施例として、上記構成では取手４に凹部４ｂを設け、上枠６に凸部６ａを設けたが、逆に取手４に凸部６ａを設け、上枠６に凹部４ｂを設けてもよい。また、この凹部４ｂと凸部６ａは取手４だけではなく、断熱部材３に設けても同様の効果を得ることができる。
【００２５】
なお、７は外蓋で、内釜２を覆うように本体１に開閉自在に取り付けられている。
【００２６】
上記したように本発明によれば、内釜２の上端部のフランジ２ａの全周を断熱部材３で覆ったので、内釜２の上端部からの放熱を軽減することができ、それによって、蓄熱効果が向上し、内釜２の側面部の露付きを軽減することができる。
【００２７】
また、フランジ２ａに該フランジ２ａの半円より幾分長さの短い一対の半円形状の断熱部材３を差し込み、断熱部材３間のフランジ２ａに断熱部材３の一部をなす一対の取手４を差し込み、断熱部材３を保持したので、ご飯の保温中でも熱い思いをすることなく内釜２を容易に取り出すことができる。
【００２８】
さらに、断熱部材３と本体１の上枠６のどちらか一方に凸部６ａ、他方に凹部４ｂを設け、内釜２の回り止めとしたので、内釜２の回転を防止することができるものである。
【図面の簡単な説明】
【００２９】
【図１】本発明の炊飯器用内釜の取手取り付け構造の組立前の斜視図である。
【図２】本発明の炊飯器用内釜の取り付け完成状態の斜視図である。
【図３】本発明の取手部の断面図である。
【図４】本発明の内釜を下側から見た斜視図である。
【図５】図４のＡ部の拡大図である。
【図６】従来の内釜の斜視図である。
【符号の説明】
【００３０】
１    本体
２    内釜
２ａ  フランジ
２ｂ  穴
３    断熱部材
３ａ  穴
４    取手
４ａ  穴
４ｂ  凹部
５    ネジ
６    上枠
６ａ  凸部
【図１】
2005110730.tif 000003
【図２】
2005110730.tif 000004
【図３】
2005110730.tif 000005
【図４】
2005110730.tif 000006
【図５】
2005110730.tif 000007
【図６】
2005110730.tif 000008